(57)【要約】【課題】  多くの情報を一度に表示することが可能になる表示装置を提供する。【解決手段】  表示装置は、二方向に互いに異なる二つの画面を同時に表示するための表示部１１４と、所定範囲の方向の光を透過し、所定範囲以外の方向の光を反射する透過性反射手段１２４と、表示部１１４の前面に透過性反射手段１２４を開閉自在に取り付ける開閉手段とを備え、透過性反射手段１２４を閉状態とした場合には、表示部を通常表示モードとして、透過性反射手段１２４を透過して一画面が表示され、透過性反射手段を開状態とした場合には、表示部１１４を二画面表示モードとして、ある方向から見ると前記表示部１１４と透過性反射手段１２４にそれぞれ異なる画面が表示されることを特徴とする。【選択図】  図１
2008003139.tif 000002
【特許請求の範囲】
【請求項１】
二方向に互いに異なる二つの画面を同時に表示するための表示手段と、
所定範囲の方向の光を透過し、所定範囲以外の方向の光を反射する透過性画像反射手段と、
前記表示手段の前面に前記透過性画像反射手段を開閉自在に取り付ける開閉手段とを備え、
前記透過性画像反射手段を閉状態の場合には、前記表示手段を一画面のみ表示する通常表示モードとして、前記透過性画像反射手段を透過して一画面が表示され、
前記透過性画像反射手段を開状態の場合には、前記表示手段を二画面同時表示する二画面表示モードとして、ある方向から見ると前記表示手段と前記透過性画像反射手段にそれぞれ異なる画面が表示されることを特徴とする表示装置。
【請求項２】
前記透過性画像反射手段の開閉状態を検出する開閉状態検出手段と、
前記透過性画像反射手段の開閉状態に応じて前記表示手段の表示モードを切り替えるための制御手段とを備え、
前記制御手段は、
前記開閉状態検出手段が前記透過性画像反射手段の開状態を検出した場合、前記表示手段を二画面表示モードとし、
前記開閉状態検出手段が前記透過性画像反射手段の閉状態を検出した場合、前記表示手段を通常表示モードとすることを特徴とする請求項１に記載の表示装置。
【請求項３】
前記透過性画像反射手段の開閉手段を駆動する開閉駆動手段と、
前記開閉駆動手段を制御する制御手段とを備え、
前記制御手段は、
前記表示手段が通常表示モードへ変更された場合、前記開閉駆動手段により前記透過性画像反射手段を閉じ、
前記表示手段が二画面表示モードへ変更された場合、前記開閉駆動手段により前記透過性画像反射手段を開くことを特徴とする請求項１に記載の表示装置。
【発明の詳細な説明】
【技術分野】
【０００１】
本発明は、同時に多くの情報を表示できる表示装置に関するものであり、特に、ＰＤＡや携帯電話に好適である。
【背景技術】
【０００２】
従来の表示装置は、１つの表示面に対して画像を１つ表示するものが多い。例えば、液晶ディスプレイで構成される表示装置などは、表示面に表示された画像は正面方向からも、正面方向から水平方向もしくは垂直方向にずれた方向からも同一の画像として認識される。
【０００３】
また、近年では、より多くの情報を表示装置に表示させるために、液晶パネルの前に視差バリアを設け、１ピクセルごとにバックライトからの光の進行方向を振り分けることで、左右に２種類の異なる画像を表示できる、いわゆるデュアルビュー液晶も提案されている。例えば、運転席側から見るとナビゲーション画面が表示され、助手席側からはＴＶ放送やＤＶＤビデオなどの映像を表示するようなカーナビゲーションシステムなどが実用化されている。
【０００４】
このようなデュアルビュー液晶と反射手段を用いて、一人が複数の表示装置を見るように多くの情報を視認可能な表示装置が提案されている（特許文献１、２参照）。
【特許文献１】特開２００５−０８４２９９号公報
【特許文献２】特開２００５−０９９７８７号公報
【発明の開示】
【発明が解決しようとする課題】
【０００５】
しかしながら、従来技術では、画像表示手段に表示される２つの画像をユーザーに反射させるための画像反射手段が画像表示手段に対して垂直方向に取り付けられることが前提となっている。このため、１つの映像のみを表示するような通常表示を行う場合には、画像反射手段が無用となり、表示手段側に折りたたむと表示手段を覆い隠してしまい、表示部が視認できなくなるという問題があった。また、取り外すような場合、取り外した反射板の取り扱いがユーザーにとって非常に不便になるといった問題があった。
【０００６】
本発明は、上記に鑑みなされたもので、同時に多くの情報を表示できる表示装置を提供することを目的としている。
【課題を解決するための手段】
【０００７】
本発明に係る表示装置は、上記のような問題点を解決するため、二方向に互いに異なる二つの画面を同時に表示するための表示手段と、所定範囲の方向の光を透過し、所定範囲以外の方向の光を反射する透過性画像反射手段と、前記表示手段の前面に前記透過性画像反射手段を開閉自在に取り付ける開閉手段とを備え、前記透過性画像反射手段を閉状態の場合には、前記表示手段を一画面のみ表示する通常表示モードとして、前記透過性画像反射手段を透過して一画面が表示され、前記透過性画像反射手段を開状態の場合には、前記表示手段を二画面同時表示する二画面表示モードとして、ある方向から見ると前記表示手段と前記透過性画像反射手段にそれぞれ異なる画面が表示されることを特徴とするものである。
【０００８】
したがって、このような表示装置は、１つの画像を表示するような通常使用の場合には、透過性反射手段を表示手段の上に折りたたむように閉じて利用し、情報量を多く表示する場合には、透過性反射手段を表示手段面に対して垂直方向に開いて利用する。このため、閉じた状態では、表示手段の画像は表示手段のバックライトなどからの光源により透過性反射手段を透過するため、ユーザーは画像を視認でき、また、開いた状態では、ユーザーは表示手段に表示される２つの画像を表示手段、および透過性反射手段を経由して直接的・間接的に２つの方向から同時に見ることができるので、多くの情報を一度に視認することが可能になる。
なお、開閉可能な透過性反射手段を用いることにより、通常使用時の反射手段の格納の問題も解消することができる。
【０００９】
また、本発明に係る表示装置は、前記透過性画像反射手段の開閉状態を検出する開閉状態検出手段と、前記透過性画像反射手段の開閉状態に応じて前記表示手段の表示モードを切り替えるための制御手段とを備え、前記制御手段は、前記開閉状態検出手段が前記透過性画像反射手段の開状態を検出した場合、前記表示手段を二画面表示モードとし、前記開閉状態検出手段が前記透過性画像反射手段の閉状態を検出した場合、前記表示手段を通常表示モードとすることを特徴とするものである。
【００１０】
したがって、このような表示装置は、透過性反射手段が開閉された際に、開かれたこともしくは、閉じられたことを検出し、前記透過性画像反射手段の開閉状態に応じ、前記表示手段の表示方法を切り替えるので、ユーザーによる表示種類の変更の操作を不要とすることが可能になる。
【００１１】
さらに、本発明に係る表示装置は、前記透過性画像反射手段の開閉手段を駆動する開閉駆動手段と、前記開閉駆動手段を制御する制御手段とを備え、前記制御手段は、前記表示手段が通常表示モードへ変更された場合、前記開閉駆動手段により前記透過性画像反射手段を閉じ、前記表示手段が二画面表示モードへ変更された場合、前記開閉駆動手段により前記透過性画像反射手段を開くことを特徴とするものである。
【００１２】
したがって、このような表示装置は、ユーザーがスイッチ等を押して表示モードを切り替えた場合に、前記開閉駆動手段により前記透過性画像反射手段の開閉切り替えを行うことができるため、ユーザーによる透過性反射板の開閉操作を不要とすることができる。
【発明の効果】
【００１３】
本発明によれば、表示装置に、複数の画像を複数方向に表示できる表示手段と表示に連動した開閉式の透過性のある反射手段を組み合わせることで、通常の利用の他に、多くの情報を表示したいときには、表示手段に異なる画像を表示し、表示面を直接見ることと反射板を通じて反対側から表示面を見ることにより、一度に多くの情報を視認することができるなどの優れた効果がある。
【発明を実施するための最良の形態】
【００１４】
以下、図面を参照して本発明の実施の形態について説明する。図１は、本発明の実施の形態に係る表示装置の構成の具体例をブロック図で示したものである。図１を参照すると、表示装置１２６は、ＣＰＵ（Ｃｅｎｔｒａｌ Ｐｒｏｃｅｓｓｉｎｇ  Ｕｎｉｔ）１００と、操作部１０２と、データメモリ１０４と、予め定められた処理を行うデータ処理部１０６と、反射板開閉状態検出部１０８と、反射板開閉制御部１１０と、表示制御部１１２と、表示部１１４と、画像データメモリ１１６と、透過性反射板１２４と、反射板開閉駆動部１７０とを含み、それぞれ、バス１２２を介して接続されている。表示装置１２６は、ＣＰＵ１００により制御される。
【００１５】
ＣＰＵ１００は、携帯機器のＯＳ（Ｏｐｅｒａｔｉｎｇ Ｓｙｓｔｅｍ）やＯＳ上のアプリケーションに基づいて動作する。操作部１０２は、ユーザーが携帯機器を操作するためのものであり、例えば、スイッチやボタン等がある。データメモリ１０４は、ＯＳやアプリケーションに基づいてＣＰＵ１００が各種データを格納もしくは参照するものである。反射板開閉状態検出部１０８は、透過性反射板１２４の開閉状態を検出する。反射板開閉制御部１１０は、透過性反射板１２４の開閉を制御する。表示制御部１１２は、表示部１１４における表示制御を行うものである。表示部１１４は、画像データメモリ１１６内の画像データを表示するためのものである。画像データメモリ１１６は、表示部１１４に表示するための画像を格納するものであるところ、第一の画像データを格納する第一画像データメモリ１１８と、第二の画像データを格納する第二画像データメモリ１２０とを有する。反射板開閉駆動部１７０は、ユーザーがスイッチ等を押して表示モードを切り替えた場合に、透過性反射板１２４を開閉駆動するものである。
【００１６】
図２は、本発明に係る表示装置の具体例を示す図である。図２を参照すると、携帯機器２００は、少なくとも表示部１１４と透過性反射板１２４とを含む携帯機器向け表示装置を搭載するものである。なお、透過性反射板１２４は、表示部１１４に回転可能なヒンジで接合されている。
【００１７】
ここで、表示部１１４に関して、通常表示モードと二画面表示モードの二つの表示モードを定義する。通常表示モードは、表示部１１４に一画面を表示し、どの方向から見てもその画面を視認できるモードとする。また、二画面表示モードは、表示部１１４にユーザーが表示部１１４を見る方向によって異なる二つの画面を表示し、ユーザーは表示部１１４を見る方向によって、異なる二つの画面を視認できるモードとする。
【００１８】
まず、二画面表示モードの原理について説明する。図３を参照すると、表示部１１４は、画像データを表示する液晶ディスプレイであるデータ表示部１２８と、データ表示部よりも前方、つまり閲覧者に近い側に備えられる液晶ディスプレイであるスリット板１３０と、データ表示部の後方、つまり閲覧者に遠い側に備えられる照明装置であるバックライト１３２とを含む。
【００１９】
データ表示部１２８は、表示制御部１１２に制御されることで、縦長の短冊状の領域である、第１画像を表示する複数の第１画像表示領域１４２と、第２画像を表示する複数の第２画像表示領域１４０とが、左から順に領域１４２，１４０の順番に交互に並んで構成される。
【００２０】
スリット板１３０には、表示制御部１１２の制御により、背後のデータ表示部１２８を前方から透かして見ることのできない閉口部１５０と、背後のデータ表示部５１を前方から透かして見ることのできる開口部１５２とが構成されるように透明電極（図示せず）が配置される。閉口部１５０と開口部１５２とは、表示制御部１１２が制御することで上記透明電極に電圧が印加された部分が暗転し、印加されない部分が可透なままとなって構成される。
【００２１】
スリット板１３０は、閉口部１５０と開口部１５２とから構成される。データ表示部１２８は、第１画像表示領域１４２と第２画像表示領域１４０とから構成されるところ、第１画像表示領域１４２に表示される第１画像は、開口部１５２を介して第１方向に表示され、表示部１１４に対して第１方向（図３においては左方向）に位置する閲覧者から視認される。また、第２画像表示領域１４０に表示される第２画像は、開口部１５２を介して第２方向に表示され、表示部１１４に対して第２方向（図３においては右方向）に位置する閲覧者から視認される。つまり、表示装置１００は、異なる画像である第１画像と第２画像とを、各々、表示部１１４に対する異なる視点に対する方向である第１方向と第２方向との異なる表示方向に同時に表示する。
【００２２】
次に、図１に示されるデータ処理部１０６の構成とデータ処理について、図４を用いて説明する。図１を参照すると、データ処理部１０６がＣＰＵ１００から制御信号を受取り動作することで、データ処理部１０６の機能には、画像分割部１６０と、画像反転部１６２と、メモリ転送制御部１６４とが含まれる。
【００２３】
画像分割部１６０は、データメモリ１０４に記憶される画像データを読出して２分割する。そして、２分割された画像データのうちの一方を画像反転部１６２に、他の一方をメモリ転送制御部１６４に送る。画像反転部１６２は、画像分割部１６０から渡された２分割された２つの画像データのうちの一方の画像データから、該画像を鏡像反転させた反転画像の画像データを生成する。そして、反転画像の画像データをメモリ転送制御部１６４に送る。メモリ転送制御部１６４は、画像分割部１６０から送られた（鏡像反転されていない）画像データを第１画像データとして第１画像データメモリ１１８に、画像反転部１６２から送られた（鏡像反転された）画面データを第２画像データとして第２画像データメモリ１２０に展開する。表示制御部１１２は、表示部１１４を図３に示された構成となるように制御し、第１画面データメモリ１１８に展開された第１画面データを第１画面表示領域１４２に、第２画面データメモリ１２０に展開された第２画面データを第２画面表示領域１４０に表示させる。
【００２４】
本発明に係る表示装置の機械的な動作を説明する。図５は、本発明に係る表示装置の通常表示時の具体例を示す図である。１１４は、画像やデータを表示するための表示部である。１２４は透過性反射板である。開閉検出部兼開閉制御部２０２は、透過性反射板１２４の開閉状態を検出制御するものである。なお、２０４は、ユーザーの視線方向である。
【００２５】
図５では、開閉検出部兼開閉制御部２０２により、透過性反射板１２４は閉状態となっているので、通常表示モード時の状態を示す。ここで、透過性反射板１２４が閉じられ、表示部１１４の上に重なる状態になる。この状態では、表示部１１４と透過性反射板１２４とのなす角度が０度となり、表示部１１４のバックライトからの光源が存在するため、透過性反射板１２４は、表示部１１４の表示を透過する。このため、ユーザーは、表示部１１４に表示される画像を視認することができる。
【００２６】
また、図６は、本発明に係る表示装置の二画面表示時の具体例を示す図である。１１４は、画像やデータを表示するための表示部である。１２４は透過性反射板である。開閉検出部兼開閉制御部２０２は、透過性反射板１２４の開閉状態を検出制御するものである。なお、２０６は、ユーザーの視線方向である。２０８は、表示部１１４の第一の画像の表示される方向である。２１０は、表示部１１４の第二の画像の表示される方向である。表示部１１４と透過性反射板１２４とのなす角度は本発明において限定されるものではないが、表示方向２０８及び第２画像が透過性反射板１２４に向かう方向２１２と表示部１１４とのなす角度がそれぞれ等しい場合には、本実施形態において表示部１１４と透過性反射板１２４とのなす角度は９０度に定められる。このため、表示部１１４と透過性反射板１２４とを回転可能に接合するヒンジは、表示部１１４と透過性反射板１２４とのなす角度が９０度となる位置で表示部１１４と透過性反射板１２４とを固定しやすい構造となっている方が望ましい。なお、表示部１１４と透過性反射板１２４とのなす角度が９０度になっている場合には、透過性反射板１２４は、表示部１１４の第二の画像を反射する。
【００２７】
図６では、開閉検出部兼開閉制御部２０２により、透過性反射板１２４が開状態、二画面表示モード時の状態を示す。ここで、透過性反射板１２４が開かれ、表示部１１４と透過性反射板１２４とのなす角度が９０度となり、表示部１１４の表示は、第一の画像の表示される方向２０８と、第二の画像の表示される方向２１０の二方向に二画面を表示している。このため、ユーザーは、視線方向２０６より、表示部１１４に映し出される第一の画面と第二の画面をそれぞれ、直接的に、および透過性反射板１２４での反射によって間接的に、同時に二画面を視認し、二画面分の情報を得ることができる。
【００２８】
ここで、ユーザーが透過性反射板１２４の開閉をした場合、反射板開閉状態検出部１０８は、透過性反射板１２４の開閉状態を検出する。反射板開閉状態検出部１０８は、主として、センサーにより透過性反射板１２４の開閉状態を検出する。
また、ユーザーがスイッチ等を押して通常表示モードに切り替えた場合に、反射板開閉駆動部１７０により透過性反射板を閉状態にすることができる。ユーザーがスイッチ等を押して二画面表示モードに切り替えた場合に、反射板開閉駆動部１７０により透過性反射板を開状態にすることができる。反射板開閉駆動部１７０は、ユーザーが操作部を操作した場合、ＣＰＵの指令により、主としてモーターにより作動する。なお、反射板開閉駆動部１７０は、形状記憶合金を用いた板ばねであっても良い。
【００２９】
すなわち、携帯機器２００を通常の状態、表示部が一画面で利用する場合には、透過性反射板１２４が閉じられ、表示部１１４の上に重なる状態になる。この状態で携帯機器２００を操作する場合、表示部１１４のバックライトからの光源が存在するため、透過性反射板１２４は、表示部１１４の表示を透過する。このため、ユーザーは、表示される画像を視認することができる。
【００３０】
また、多くの情報量を見たい場合には、透過性反射板１２４を開き、表示部１１４の表示を二画面表示モードにすれば、ユーザーは、表示部１１４の第一の画像を直接見ることと、透過性反射板１２４を経由して表示部１１４の第二の画像を反射して見ることにより、同時に二画面分の情報を得ることができる。
【００３１】
通常表示モードと二画面表示モードにおける画像表示に関する動作処理の流れを説明する。通常表示モードにおいては、表示制御部１１２は、表示部１１４を見る方向に関わらず単一の画面が視認できるように制御する。ＣＰＵ１００は、ユーザーの操作部１０２からの入力を受け、ユーザーからの入力に応じた処理をＯＳやアプリケーションで行い、データメモリ１０４からデータの参照および格納を行う。そして、その結果をユーザーに提示するための画像を、画像データメモリ１１６、特に通常表示モードでは、第一画像データメモリ１１８において表示用の画像データとして作成し、適切な表示タイミングにおいて、表示部１１４に画像データを転送し、表示出力を行う。
【００３２】
二画面表示モードにおいては、表示制御部１１２は、表示部１１４を見る方向に応じて異なる二つの画面が視認できるように制御する。ＣＰＵ１００は、ユーザーの操作部１０２からの入力を受け、ユーザーからの入力に応じた処理をＯＳやアプリケーションで行い、データメモリ１０４からデータの参照および格納を行う。そして、その結果をユーザーに提示するための画像を、画像データメモリ１１６、特に二画面表示モードにおいては、主となる表示用の画像データとして第一画像データメモリ１１８に作成し、副となる表示用の画像データとして第二画像データメモリ１２０に作成する。そして、適切な表示タイミングにおいて、表示部１１４の第一の画像の表示方向２０８に表示される画像データを第一画像データメモリ１１８から転送する。透過性反射板１２４で反射される第二の画像表示方向２１０に表示される画像データに関しては、第二画像データメモリ１２０の画像データをデータ処理部１０６により鏡像変換（左右反転）処理を施した後、転送し、それぞれ表示、出力を行う。
【００３３】
携帯機器２００を通常の状態、表示部が一画面で利用する場合には、透過性反射板１２４が閉じられ、表示部１１４の上に重なる状態になる。この状態で携帯機器２００を操作する場合、表示部１１４のバックライトからの光源が存在するため、透過性反射板１２４は、表示部１１４の表示を透過するため、ユーザーは、表示される画像を視認することができる。
【００３４】
また、多くの情報量を見たい場合には、透過性反射板１２４を開き、表示部１１４の表示を二画面表示モードにすれば、ユーザーは、表示部１１４の第一の画像を直接見ることと、透過性反射板１２４を経由して表示部１１４の第二の画像を反射して見ることにより、同時に二画面分の情報を得ることができる。
【００３５】
本発明に係る表示装置は、表示部１１４に回転可能なヒンジで接合された透過性反射板１２４の開閉検出および開閉制御を行うことによって、二つの表示モードの制御を行うことが重要である。以下、図７、図８のフローチャートを用いて表示装置１２６での表示モードの制御を具体的に説明する。図７は、本発明の実施の形態に係る表示装置での反射板の開閉状態に応じた表示モード変更処理を示すフローチャートである。図８は、本発明の実施の形態に係る表示装置での表示モード選択に応じた表示モード変更処理、および反射板の開閉処理を示すフローチャートである。
【００３６】
まず、ユーザーにより透過性反射板１２４が開かれた場合（Ｓ１００）、反射板開閉状態検出部１０８によって、透過性反射板１２４が開かれたものと判定される（Ｓ１０２）。次に、透過性反射板１２４が開状態になったと検出した反射板開閉状態検出部１０８は、ＣＰＵ１００上で動作しているＯＳに対して、表示モードの二画面表示モードへの変更要求を出す（Ｓ１０６）。次に、ＯＳが動作するＣＰＵ１００は、変更された表示モード、この場合二画面表示モードに変更になったことを、ＣＰＵ１００上で動作するアプリケーションに通知する。通知を受けたアプリケーションは、二画面表示モードに応じた処理を行う（Ｓ１０８）。次に、ＯＳが動作するＣＰＵ１００は、さらに表示制御部１１２に対し、二画面表示モードへ制御を切り替えるように指示を出す。表示制御部１１２は、表示部１１４に対して、二画面表示モードに応じた表示制御を行うことにより、第一の画像の表示方向へは第一画像データメモリ１１８の表示用の画像データが転送、表示される。第二の画像の表示方向へは、データ処理部１０６により鏡像変換処理された第二画像データメモリ１２０上の表示用の画像データが転送、表示される（Ｓ１１０）。
【００３７】
ユーザーにより透過性反射板１２４が閉じられた場合（Ｓ１００）、反射板開閉状態検出部１０８によって、透過性反射板１２４が閉じられたものと判定される（Ｓ１０２）。次に、透過性反射板１２４が閉状態になったと検出した反射板開閉状態検出部１０８は、ＣＰＵ１００上で動作しているＯＳに対して、表示モードの通常表示モードへの変更要求を出す（Ｓ１０６）。次に、ＯＳが動作するＣＰＵ１００は、変更された表示モード、この場合通常表示モードに変更になったことを、ＣＰＵ１００上で動作するアプリケーションに通知する。通知を受けたアプリケーションは、通常表示モードに応じた処理を行う（Ｓ１０８）。次に、ＯＳが動作するＣＰＵ１００は、さらに表示制御部１１２に対し、通常表示モードへ制御を切り替えるように指示を出す。表示制御部１１２は、表示部１１４に対して、通常表示モードに応じた表示制御を行う（Ｓ１１０）。
【００３８】
また、ユーザーが操作部１０２を操作することによりＣＰＵ１００で動作するアプリケーションの表示モードを変更した場合は、アプリケーションは、ＣＰＵ１００上で動作するＯＳに表示モード変更を通知する（Ｓ２００）。ＯＳが動作するＣＰＵ１００は、ユーザーにより選択された表示モードの判定を行う（Ｓ２０２）。通常表示モードへの変更の場合には、ＯＳが動作するＣＰＵは、反射板開閉制御部１１０に透過性反射板１２４を閉じるように指示を出す。反射板開閉制御部１１０は、透過性反射板１２４を閉じる（Ｓ２０６）。ユーザーの操作により、二画面表示モードへ変更する場合には、ＯＳが動作するＣＰＵは、反射板開閉制御部１１０に透過性反射板１２４を開くように指示を出す。反射板開閉制御部１１０は、透過性反射板１２４を開く（Ｓ２１０）。次に、ＯＳが動作するＣＰＵ１００は、変更された表示モードを、ＣＰＵ１００上で動作するアプリケーションに通知する。通知を受けたアプリケーションは変更された表示モードに応じた処理を行う（Ｓ２１２）。次にＯＳが動作するＣＰＵは、さらに表示制御部１１２に対し、変更された表示モードへ制御を切り替えるように指示を出す。表示制御部１１２は、表示部１１４に対して、変更された表示モードに応じた表示制御を行う（Ｓ２１４）。
【００３９】
これまでに説明したように、本実施例において、開閉可能な透過性の反射板を利用し、その開閉状態と表示部の表示モードの切り替えを同期させることにより、通常の利用時には、これまでと変わらない操作性、および携帯性を保持し、デュアルビューが可能な表示装置の特性と反射板により二画面分の情報を視認できる。
【００４０】
今回開示された実施の形態は、すべての点で例示であって、制限的なものではないと考えられるべきである。本発明の範囲は、上記した説明ではなくて特許請求の範囲によって示され、特許請求の範囲と均等の意味および範囲内でのすべての変更が含まれることが意図される。
【図面の簡単な説明】
【００４１】
【図１】本発明の実施の形態に係る表示装置の構成の具体例を示すブロック図である。
【図２】本発明の実施の形態に係る表示装置の具体例を示す図である。
【図３】本発明に係る表示装置の二画面表示の原理を示す図である。
【図４】本発明に係る表示装置のデータ処理部１０６の構成を示す図である。
【図５】本発明の実施の形態に係る表示装置の通常表示時の具体例を示す図である。
【図６】本発明の実施の形態に係る表示装置の二画面同時表示時の具体例を示す図である。
【図７】本発明の実施の形態に係る表示装置での反射板の開閉状態に応じた表示モード変更処理を示すフローチャートである。
【図８】本発明の実施の形態に係る表示装置での表示モード選択に応じた表示モード変更処理、および反射板の開閉処理を示すフローチャートである。
【符号の説明】
【００４２】
１００            ＣＰＵ
１０２            操作部
１０４            データメモリ
１０６            データ処理部
１０８            反射板開閉状態検出部
１１０            反射板開閉制御部
１１２            表示制御部
１１４            表示部
１１６            画像データメモリ
１１８            第一画像データメモリ
１２０            第二画像データメモリ
１２２            バス
１２４            透過性反射板
１２６            表示装置
１２８            データ表示部
１３０            スリット板
１３２            バックライト
１４０，１４２    データ表示部上の領域
１５０            閉口部
１５２            開口部
１６０            画像分割部
１６２            画像反転部
１６４            メモリ転送制御部
１７０            反射板開閉駆動部
２００            携帯機器
２０２            開閉検出部兼開閉制御部
２０４            視線方向
２０６            視線方向
２０８            第一の画像の表示される方向
２１０            第二の画像の表示される方向
２１２            第２画像が透過性反射板１２４に向かう方向
Ｓ１００          開閉ステップ
Ｓ１０２          開閉状態判定ステップ
Ｓ１０４          通常モード変更ステップ
Ｓ１０６          二画面表示モード変更ステップ
Ｓ１０８          表示モード変更通知ステップ
Ｓ１１０          表示制御変更ステップ
Ｓ２００          表示モード変更ステップ
Ｓ２０２          表示モード判定ステップ
Ｓ２０６          反射板閉ステップ
Ｓ２１０          反射板開ステップ
Ｓ２１２          表示モード変更通知ステップ
Ｓ２１４          表示制御変更ステップ
【図１】
2008003139.tif 000003
【図２】
2008003139.tif 000004
【図３】
2008003139.tif 000005
【図４】
2008003139.tif 000006
【図５】
2008003139.tif 000007
【図６】
2008003139.tif 000008
【図７】
2008003139.tif 000009
【図８】
2008003139.tif 000010